(57)【要約】  【課題】デタッチャブルパネルの耐震性を簡単な係合構造によって得られ、取外し操作も容易な車載電子機器を提供する。  【解決手段】デタッチャブルパネルが本体パネルに脱着可能に設けられている。デタッチャブルパネルは支持部により本体パネルに対して支持され、かつ、係合部４３によって本体パネルに係合される。係合部４３は、係合突起５１と弾性材からなる１対のフック６１を備え、１対のフック６１は支持部による支持方向と交差した挟込み方向に係合突起５１を挟み込む。１対のフック６１および係合突起５１がそれぞれ挟込み方向に対して傾斜したフック側傾斜部７１および突起側傾斜部５５を有し、１対のフック６１が係合突起５１を挟み込んだときにフック６１の弾性変形によってフック側傾斜部７１が突起側傾斜部５５を押圧する。【選択図】  図１３
2008230461.tif 000002
【特許請求の範囲】
【請求項１】
車室内を向くように前面側に設けられた本体パネルと、
前記本体パネルに脱着可能であり操作部材を備えたデタッチャブルパネルと、
前記デタッチャブルパネルを前記本体パネルに支持する支持部と、
前記支持部により支持された前記デタッチャブルパネルと前記本体パネルとを係合させて所定の装着姿勢を保持する係合部とを備え、
前記係合部は、前記本体パネルおよび前記デタッチャブルパネルの一方に設けられた係合突起と、前記本体パネルおよび前記デタッチャブルパネルの他方に設けられており、前記支持部による支持方向と交差した挟込み方向に前記係合突起を挟み込む弾性材からなる１対のフックとを備え、
前記１対のフックおよび前記係合突起がそれぞれ前記挟込み方向に対して傾斜したフック側傾斜部および突起側傾斜部を有し、前記１対のフックが前記係合突起を挟み込んだときに前記フックの弾性変形によって前記フック側傾斜部が前記突起側傾斜部を押圧することを特徴とする車載電子機器。
【請求項２】
前記デタッチャブルパネルは前側から見て横長の形状を有し、前記本体パネルに設けられた横長のパネル装着凹部に装着され、かつ、横方向の回動軸を中心に回動可能に前記支持部により支持されており、前記回動軸を中心に前記デタッチャブルパネルを回動させるための回動操作部位が、前記デタッチャブルパネルの上面であって前記係合部の上側に設けられており、前記本体パネルは前記パネル装着凹部の上壁部に前記回動操作部位を露出させる切欠部を有していることを特徴とする請求項１に記載の車載電子機器。
【請求項３】
前記本体パネルは、前記パネル装着凹部の前記上壁部の上面であって前記切欠部に隣接した位置に、前記回動操作部位の位置を案内する照明部を有していることを特徴とする請求項２に記載の車載電子機器。
【請求項４】
前記本体パネルは、前記上壁部の上側に横長のディスク挿入口を有し、前記照明部は、前記切欠部に隣接した位置であって前記ディスク挿入口の下に配置されており、前記回動操作部位の位置と前記ディスク挿入口の位置との両方を案内することを特徴とする請求項３に記載の車載電子機器。
【請求項５】
前記１対のフックの各々は前記係合突起へ向けて設けられたフック側爪部を有し、前記係合突起は前記１対のフック部の少なくとも一方へ向けて設けられた突起側爪部を有し、前記デタッチャブルパネルが前記所定の装着状態に保持されている状態において、前記フック側爪部が前記突起側爪部を乗り越えた位置にて、前記突起側爪部に接触していることを特徴とする請求項１乃至４のいずれかに記載の車載電子機器。
【発明の詳細な説明】
【技術分野】
【０００１】
本発明は、盗難防止のために本体パネルから着脱可能なデタッチャブルパネルを備えた車載電子機器に関する。
【背景技術】
【０００２】
従来、カーステレオなどの車載電子機器の盗難を防止するために、デタッチャブルパネルを備えた車載電子機器が提案されている。この従来技術では、前面パネルが、本体パネルと、本体パネルに対して脱着可能なデタッチャブルパネルとに分割されており、デタッチャブルパネルにはボタン等の操作部材が備えられている。ユーザーは車両から離れるときに、デタッチャブルパネルを本体パネルから取り外して車外へ持ち出す。これにより、車載電子機器の少なくとも一部の操作を不能にして、盗難を防止することができる。しかも、デタッチャブルパネルだけを持ち運べばよいので、車載電子機器全体の携帯が不要であり、ユーザーの負担が軽減される。
【０００３】
デタッチャブルパネルの取付構造としては、デタッチャブルパネルが本体パネルにヒンジを介して連結されており、これによりデタッチャブルパネルは、ボタン操作が有効になる装着姿勢と、本体パネルから取外し可能になる傾斜姿勢との間で回動する。デタッチャブルパネルが装着姿勢にあるときは、デタッチャブルパネルと本体パネルとが互いに係合する。係合構造は、バネなどの弾性体によって係合状態を確実に維持してデタッチャブルパネルを装着姿勢に保持するように構成されている。係合構造には更に押圧部材が備えられており、押圧部材を押圧する操作が行われて初めて係合状態が解除される。したがって、デタッチャブルパネルを取り外すときは、まず、ユーザの押圧操作によって係合構造の係合状態を解除する必要がある。それから、デタッチャブルパネルが回動され、ヒンジの連結が解除されてデタッチャブルパネルが本体パネルから取り外される（例えば、特許文献１参照）。
【特許文献１】特開２００２−３１６５９１号公報
【発明の開示】
【発明が解決しようとする課題】
【０００４】
しかしながら、従来の車載電子機器においては、車両環境下での耐震性を確保するためにデタッチャブルパネルと本体パネルとを係合により確実に固定する必要があり、そのために係合構造が複雑であるという問題がある。
【０００５】
例えば上述の従来技術は、デタッチャブルパネルと本体パネルの係合構造にバネなどの弾性体を備えている。このような係合構造は、振動が加わる車両環境下でもガタつきや騒音を抑えて耐震性を確保するのに有利である。その反面、バネなどの部品が必要であり、さらには、バネなどの係合状態を解除するためにスライドボタン等の押圧部材も必要とされる。そのため、部品点数が多く構造が複雑になっている。
【０００６】
また、従来の車載電子機器では、上記の係合構造を備えたためにデタッチャブルパネルの取外し操作の手間が多いという問題がある。具体的には、従来の車載電子機器では、一つ目のアクションとして、押圧部材を操作して係合状態が解除される。そして、二つ目のアクションとして、デタッチャブルパネルが回動される。このように、従来の車載装置では、２つの操作が必要であり、パネル取外し操作の手間が多い。
【０００７】
本発明は、従来の問題を解決するためになされたもので、その目的は、簡単な係合構造によってデタッチャブルパネルの耐震性を得ることができ、取外し操作も容易な車載電子機器を提供することにある。
【課題を解決するための手段】
【０００８】
本発明の車載電子機器は、車室内を向くように前面側に設けられた本体パネルと、前記本体パネルに脱着可能であり操作部材を備えたデタッチャブルパネルと、前記デタッチャブルパネルを前記本体パネルに支持する支持部と、前記支持部により支持された前記デタッチャブルパネルと前記本体パネルとを係合させて所定の装着姿勢を保持する係合部とを備え、前記係合部は、前記本体パネルおよび前記デタッチャブルパネルの一方に設けられた係合突起と、前記本体パネルおよび前記デタッチャブルパネルの他方に設けられており、前記支持部による支持方向と交差した挟込み方向に前記係合突起を挟み込む弾性材からなる１対のフックとを備え、前記１対のフックおよび前記係合突起がそれぞれ前記挟込み方向に対して傾斜したフック側傾斜部および突起側傾斜部を有し、前記１対のフックが前記係合突起を挟み込んだときに前記フックの弾性変形によって前記フック側傾斜部が前記突起側傾斜部を押圧するように構成されている。
【０００９】
この構成により、デタッチャブルパネルを本体パネルに係合させる係合部が、係合突起と１対のフックにより構成される。１対のフックが係合突起を挟み込んだ状態では、フックの弾性変形によってフック側傾斜部が突起側傾斜部を押圧する。傾斜部に対する押圧により、デタッチャブルパネルが支持部へ向けて付勢される。これにより、挟込み方向だけでなく、支持方向にも、デタッチャブルパネルのガタつきを抑制することができる。さらには、上記の係合構造では、係合解除のためのボタン等の押圧部材も不要であり、したがって、パネル取外し操作の手間も少なくてすむ。このようにして、フックの弾性と、フックおよび係合突起の傾斜部とを利用した構成を設けたことで、簡単な係合構造によってデタッチャブルパネルの耐震性を得ることができ、取外し操作も容易にできる。
【００１０】
また、本発明の車載電子装置において、前記デタッチャブルパネルは前側から見て横長の形状を有し、前記本体パネルに設けられた横長のパネル装着凹部に装着され、かつ、横方向の回動軸を中心に回動可能に前記支持部により支持されており、前記回動軸を中心に前記デタッチャブルパネルを回動させるための回動操作部位が、前記デタッチャブルパネルの上面であって前記係合部の上側に設けられており、前記本体パネルは前記パネル装着凹部の上壁部に前記回動操作部位を露出させる切欠部を有している。
【００１１】
この構成により、回動操作部位に載せたユーザの指と本体パネルとが干渉することなく、回動操作部位を利用してデタッチャブルパネルを回動させることができ、取外し操作が簡単になる。しかも、回動操作部位をデタッチャブルパネルの上面に設けると共に、本体パネルの切欠き部によって回動操作部位を露出させたので、コンパクトな構造でもって回動操作を可能にできる。
【００１２】
また、本発明の車載電子装置において、前記本体パネルは、前記パネル装着凹部の前記上壁部の上面であって前記切欠部に隣接した位置に、前記回動操作部位の位置を案内する照明部を有している。
【００１３】
この構成により、本体パネルの切欠部に隣接した位置に照明部を設けたことで、回動操作部位の視認が容易になり、デタッチャブルパネルの取外し操作がさらに容易になる。
【００１４】
また、本発明の車載電子装置において、前記本体パネルは、前記上壁部の上側に横長のディスク挿入口を有し、前記照明部は、前記切欠部に隣接した位置であって前記ディスク挿入口の下に配置されており、前記回動操作部位の位置と前記ディスク挿入口の位置との両方を案内する。
【００１５】
この構成により、一つの照明部でもってデタッチャブルパネルの回動操作部位だけでなくディスク挿入口の位置も案内でき、車載電子機器を小型化できる。
【００１６】
また、本発明の車載電子装置において、前記１対のフックの各々は前記係合突起へ向けて設けられたフック側爪部を有し、前記係合突起は前記１対のフック部の少なくとも一方へ向けて設けられた突起側爪部を有し、前記デタッチャブルパネルが前記所定の装着状態に保持されている状態において、前記フック側爪部が前記突起側爪部を乗り越えた位置にて前記突起側爪部に接触している。
【００１７】
この構成により、フック側爪部と突起側爪部との接触部に作用する力を利用して、デタッチャブルパネルの前後方向のガタつきも抑制でき、耐震性を向上できる。
【発明の効果】
【００１８】
本発明は、デタッチャブルパネルと本体パネルの係合部にて係合突起を１対のフックで挟み込み、フックの弾性によって突起側傾斜部をフック側傾斜部で押圧する構成を設けたので、簡単な係合構造によってデタッチャブルパネルの耐震性を得ることができ、取外し操作も容易にできるという効果を有する車載電子機器を提供することができる。
【発明を実施するための最良の形態】
【００１９】
以下、本発明の実施の形態の車載電子機器について、図面を用いて説明する。
【００２０】
本発明の実施の形態に係る車載電子機器を図１〜図５に示す。図１〜図３は車載電子機器の外観斜視図であり、図４および図５は車載電子機器の正面図である。本実施の形態では車載電子機器１がカーオーディオである。図１に示すように、本発明では、車載電子機器１を前面から見た状態を基準として、横方向（左右方向）および上下方向といった方向を表す。また、車載電子機器１の奥行方向に沿って手前側を「前」といい、奥側を「後」と呼ぶ。
【００２１】
図示のように、車載電子機器１は全体としては略直方体の形状を有しており、前側から見るとカーオーディオのＤＩＮ規格に従った横長の長方形である。車載電子機器１は、電子回路やディスク駆動装置などを内蔵したシャーシ３と、シャーシ３の前面側に備えられた前面パネル５とで構成されている。そして、図示されないが、車載電子機器１は、前面パネル５が車室内を向いた状態で、コンソールパネル等に備え付けられる。
【００２２】
前面パネル５は、シャーシ３に固定された本体パネル７と、本体パネル７に対して脱着可能なデタッチャブルパネル９とからなる分割構造を有している。図１はデタッチャブルパネル９を装着した状態を示し、図２はデタッチャブルパネル９を取り付ける途中、または取り外す途中の状態を示し、図３はデタッチャブルパネル９を取り外した状態を示している。また、図４はデタッチャブルパネル９を装着した状態を示し、図５はデタッチャブルパネル９を取り外した状態を示している。
【００２３】
本体パネル７は、シャーシ５の前側の全体を覆う形状を有している。本体パネル７の上半部には横長のモニターカバー１１が取り付けられている。モニターカバー１１の下側には、横方向に細長いディスク挿入口１３が設けられている。ディスク挿入口１３は、本体パネル７の上下方向の略中央に配置されている。ディスク挿入口１３を通してコンパクトディスクをシャーシ３の内部に挿入したり、抜き取ることができる。
【００２４】
本体パネル７は、ディスク挿入口１３の下側にパネルパネル装着凹部１５を有しており、デタッチャブルパネル９は、パネル装着凹部１５に収納された状態で、本体パネル７の前面の下部に装着される。デタッチャブルパネル９は図示のように横長の細長い形状を有しており、パネル装着凹部１５もデタッチャブルパネル９に対応する横長の細長い形状を有している。
【００２５】
また、本体パネル７は、デタッチャブルパネル９の左側にボリュームノブ１７を有し、デタッチャブルパネル９の右側には入力端子１９およびインジケータ２１を有している。さらに、モニターカバー１１上にも幾つかのボタンが設けられているが、これらは本発明に直接関係しないので説明を省略する。
【００２６】
デタッチャブルパネル９には、横方向に並ぶように複数の操作部材が配置されている。本実施の形態では、操作部材が操作ボタン３１である。操作ボタン３１は、例えば、ディスク抜取用のイジェクトボタン、テレビやラジオのチューニングやディスクのトラック選択などに用いるチューントラックボタン、ソースを選択するためのソースボタン、セットアップ操作用のセットアップボタン、音声出力を抑制するためのミュートボタンなどである。
【００２７】
図６はデタッチャブルパネル９の分解斜視図であり、図７はデタッチャブルパネル９の６面図である。図示のように、デタッチャブルパネル９は、デタッチャブルパネル前カバー３３とデタッチャブルパネル後カバー３５の間に操作ボタン３１を挟んだ構成を有している。デタッチャブルパネル前カバー３３およびデタッチャブルパネル後カバー３５は、操作ボタン３１に対応する位置に貫通穴を有している。操作ボタン３１は後側に突起３６を有している。
【００２８】
図５に示すように、本体パネル７のパネル装着凹部１５には、複数の操作ボタン３１とそれぞれ対応する位置に複数の操作スイッチ３７が設けられている。操作ボタン３１が押されると、操作ボタン３１の後側の突起３６が操作スイッチ３７を押し、これにより、ユーザ操作に従って車載電子機器１が動作する。
【００２９】
また、パネル装着凹部１５の左端部には、パネル検知スイッチ３９が設けられている。パネル検知スイッチ３９は、装着されたデタッチャブルパネル９を検知する。そして、デタッチャブルパネル９が検知されているときのみ、操作スイッチ３７の押下げに車載電子機器１が反応する。したがって、仮にデタッチャブルパネル９を装着することなく、操作スイッチ３７が直接押されても車載電子機器１は正常に動作しない。
【００３０】
また、デタッチャブルパネル９の操作ボタン３１は、照明光の透過窓を有している。より詳細には、操作ボタン３１は半透明の樹脂製である。そして、透過窓以外の部分が着色されており、非着色部分が透過窓として機能する。透過窓は、ボタンの機能を表すマークや文字等の形状を有してよい。ボタン照明用のＬＥＤ等の光源装置は、本体パネル７の側に設けられている。デタッチャブルパネル９が装着された状態で、光源装置が発光すると、照明光が操作ボタン３１の透過窓を通り、ボタン表面のマーク等が照明される。
【００３１】
次に、本体パネル７に対するデタッチャブルパネル９の取付構造について説明する。デタッチャブルパネル９は、図２に示したように、両端の下部に設けられた支持部４１と、中央の上部に設けられた係合部４３によって本体パネル７に取り付けられている。支持部４１は、デタッチャブルパネル９を本体パネル７に支持する構成であり、本実施の形態では支持部４１がヒンジであって、横方向の回動軸を中心として、図１の装着姿勢と図２の傾斜姿勢の間でデタッチャブルパネル９を回動させる。装着姿勢では、図１に示すように、デタッチャブルパネル９がパネル装着凹部１５に収容されている。このとき、係合部４３が本体パネル７にデタッチャブルパネル９の上部を係合させて、装着姿勢を保持している。係合部４３の係合が解除されて、デタッチャブルパネル９が回動され、図２の傾斜姿勢になると、デタッチャブルパネル９を本体パネル７から取り外すことができる。以下、取付構造についてさらに詳細に説明する。
【００３２】
支持部４１は、上述の如くヒンジであり、本体パネル７側の１対のヒンジ軸４５（図３参照）と、デタッチャブルパネル９側の１対のヒンジ軸受４７と（図７参照）で構成されている。ヒンジ軸４５は、パネル装着凹部１５の両端下部に設けられており、パネル装着凹部１５の側壁から横方向に突出している。ヒンジ軸受４７は、デタッチャブルパネル９の両端下部にて、ヒンジ軸４５と対応する位置に設けられている。
【００３３】
図８は、傾斜姿勢のデタッチャブルパネル９の側面を、ヒンジ軸４５と共に示した図である。ヒンジ軸受４７は、デタッチャブルパネル９の側面に設けられた円形の穴である。そして、穴の一部が切り欠かれて、切欠き部４９が形成されている。切欠き部４９は、デタッチャブルパネル９が傾斜姿勢にあるときに後方を向くように配置されている。これにより、デタッチャブルパネル９が前方に引っ張られたときに、ヒンジ軸受４７がヒンジ軸４５から外れ、デタッチャブルパネル９も本体パネル７から外れる。逆に、傾斜させたデタッチャブルパネル９をパネル装着凹部１５に挿入することで、ヒンジ軸受４７にヒンジ軸４５が嵌り、デタッチャブルパネル９を本体パネル７に取り付けることができる。
【００３４】
次に、係合部４３の構成について説明する。係合部４３は、デタッチャブルパネル９の中央上部に配置されており、装着姿勢のデタッチャブルパネル９と本体パネル７とを係合させて、装着姿勢を保持するための構成である。概略的には、係合部４３は、本体パネル７からデタッチャブルパネル９へ向けて突出する係合突起５１と、デタッチャブルパネル９から本体パネル７へ向けて突出する１対のフック６１とで構成され、フック６１が係合突起５１を挟み込む。
【００３５】
図９（ａ）および図９（ｂ）は、係合突起５１の斜視図および正面図である。係合突起５１は、パネル装着凹部１５の後側壁面の中央上部に配置されており、前方へ向けて突出している。係合突起５１の先端からは、突起側爪部５３が右方向に突出している。また、係合突起５１は図示の如く両側面に突起側傾斜部５５を有しているが、これについては後述にてフック６１のフック側傾斜部７１と共に説明する。
【００３６】
次に、フック６１の構成について説明する。前出の図６に示されるように、１対のフック６１は、クランパ６３に備えられている。クランパ６３はベース板６５を備え、ベース板６５から１対のフック６１が突出している。１対のフック６１は、係合突起５１を挟むのに適した大きさの間隔を横方向に開けて設けられている。また、各フック６１は、相手のフック部６１に向けて突出するフック側爪部６９を先端に備えている。クランパ６３は、操作ボタン２３と共に、デタッチャブルパネル前カバー３３およびデタッチャブルパネル後カバー３５に挟まれて、デタッチャブルパネル９に組み込まれている。
【００３７】
図１０はデタッチャブルパネル９の背面におけるクランパ６３の部分の拡大図である。デタッチャブルパネル９の背面の上部にフック凹部６７が設けられており、フック凹部６７の中にクランパ６３が位置している。１対のフック６１は、フック凹部６７の底から前方へ向けて突出しており、これにより、本体パネル７へ向けて突出している。なお、フック６１の先端とデタッチャブルパネル９の背面とは、前後方向においてほぼ同じ高さにある。
【００３８】
また、各フック６１は、図示のように、係合突起５１に接する側にフック側傾斜部７１を有している。フック側傾斜部７１は、フック６１の挟込み方向に対して傾斜しており、傾斜の方向は、上方ほど外側に行くように、すなわち、上方ほど２つのフック６１の隙間が大きくなるように設定されている。そして、図９に示すように、フック側傾斜部７１に対応して、係合突起５１も左右に突起側傾斜部５５を有している。突起側傾斜部５５は係合突起５１の両側面であり、フック側傾斜部７１と係合時に接触する。突起側傾斜部５５の角度と向きは、フック側傾斜部７１と同様である。
【００３９】
ここで、フック６１による挟込み方向は横方向であり、支持部４１による支持方向は上下方向であり、挟込み方向と支持方向とは直角に交差している。そして、フック側傾斜部７１および突起側傾斜部５５は、挟込み方向に対して傾斜することで、支持方向に対しても傾斜している。
【００４０】
次に、上述した係合突起５１と１対のフック６１が係合しているときの状態について説明する。図１１は、図４の正面図を線ＡＡで切断した横断面図であり、図１２は、図１１の係合部４３を拡大した図であり、さらに、図１３は、係合部４３の縦断面図である。
【００４１】
図示のように、係合状態では、１対のフック６１が両側から係合突起５１を挟み込む。フック６１間の隙間は、係合突起５１の幅より少し小さく設定されている。これにより、係合状態のフック６１は外側へと弾性的に撓み変形しており、弾性変形により生じる弾性力でもって１対のフック６１が両側から係合突起５１を押圧する。この押圧力によって、デタッチャブルパネル９の横方向の動きが規制される。
【００４２】
さらに、本実施の形態では、以下に説明するように、フック６１の押圧力によってデタッチャブルパネル９の上下方向の動きも規制される。係合状態では、フック６１のフック側傾斜部７１と係合突起５１の突起側傾斜部５５が接するので、フック６１の弾性変形によってフック側傾斜部７１が突起側傾斜部５５を押圧する。傾斜面同士の押圧により、各フック６１は係合突起５１から斜め方向の反力を受ける。この反力の一部が、図１３に示すように、下方向の力Ｆとしてフック６１に作用し、そして、デタッチャブルパネル９を押し下げる。これに対して、デタッチャブルパネル９の支持部４１であるヒンジの支持方向は上向きであり、力Ｆとは反対である。したがって、デタッチャブルパネル９は上側から押し下げられるとと共に下側から支持されることになり、デタッチャブルパネル９の上下方向の動きが規制される。
【００４３】
デタッチャブルパネル９は、さらに、以下のようにして前後方向の動きも規制されている。係合時にはフック６１が前方から後方に進んで係合突起５１と係合する。このとき、フック６１のフック側爪部６９は、係合突起５１の突起側爪部５３を乗り越える。これらのフック側爪部６９および突起側爪部５３は、図１２に示されるように、係合状態に置いても接触し続けている。こうした爪同士の接触状態が得られるように、フック６１および係合突起５３の前後方向の高さが設定されている。
【００４４】
このように、本実施の形態では、デタッチャブルパネル９が装着姿勢に保持されている状態においては、フック側爪部６９が突起側爪部５３を乗り越えた位置にある状態、すなわち、突起側爪部５３がフック側爪部６９よりもベース板６５側に位置する状態においてフック側爪部６９は突起側爪部５３に接触している。これにより、係合突起５１がフック６１を引き寄せる向きに力を生じ、デタッチャブルパネル９の前後方向の動きが規制される。
【００４５】
上記の前後方向の動きの規制についてさらに説明する。仮に、フック６１または係合突起５１が本実施の形態よりも高く設けられており、係合状態においてフック側爪部６９が突起側爪部５３から離れてしまったとする。この場合、フック爪部６９の動きが突起側爪部５３により規制されないので、フック６１の前後の動きが許容され、デタッチャブルパネル９の上端部分が前後方向にガタつく可能性がある。これに対して、本実施の形態では、上述のように、係合後もフック側爪部６９と突起側爪部５３の接触が維持され、これにより、デタッチャブルパネル９の前後方向の動きが規制され、ガタつきが防止される。
【００４６】
次に、係合部４３の構成要素の材質について説明する。クランパ６３すなわちフック６１は弾性材からなり、具体的には、ポリアセタール樹脂が用いられている。ポリアセタール樹脂は、耐久性、摺動性、耐熱性に優れ、かつ柔軟である。本実施の形態ではフック６１の弾性変形を利用して確実な係合状態を得るために、弾性材が用いられている。これに対して、係合突起５１は弾性体でなくてよい。そこで、係合突起５１は本体パネル７と一体成形されており、素材としては一般的な樹脂材が用いられており、例えばポリカーボネート樹脂およびＡＢＣ樹脂が用いられる。
【００４７】
以上にデタッチャブルパネル９の取付構造における支持部４１および係合部４３について詳細に説明した。デタッチャブルパネル９の取付に関連するその他の構成について説明すると、デタッチャブルパネル９の上面の中央部には、回動操作部位８１が設けられている。回動操作部位８１は、係合部４３の近傍に位置しており、より詳細には、係合部４３と横方向に同位置であって係合部４３の上側に位置している。
【００４８】
回動操作部位８１は、支持部４１のヒンジの回動軸を中心にデタッチャブルパネル９を回動させるために操作される部位である。ユーザーは回動操作部位８１に指をかけてデタッチャブルパネル９を回動させる。回動操作部位８１には、ユーザーの操作が容易になるように、上向きの小さな突起８３が設けられている。
【００４９】
また、本体パネル７は、パネル装着凹部１５の上壁部８５に切欠部８７を有している。この切欠部８７は、回動操作部位８１と対応する位置に設けられており、回動操作部位８１を露出させる。
【００５０】
このような構成により、回動操作部位８１に載せられたユーザの指と本体パネル７とが干渉することもなく、回動操作部位８１を利用してデタッチャブルパネル９を回動させることができる。また、デタッチャブルパネル９の上面の回動操作部位８１と本体パネル７の切欠き部８７によって回動操作のための構造が実現されており、したがって、特別な操作部材を設けることが不要であり、操作部材のために大きなスペースを設けることも不要であり、コンパクトな構造でもって回動操作を可能にできる。
【００５１】
パネル装着凹部１５の上壁部８５は、横方向に延びた板状の部分である。この上壁部８５の上側にはディスク挿入口１３が位置しており、上壁部８５の上面は、挿入されるディスクを案内する機能も持つ。
【００５２】
さらに、図１４に示されるように、上壁部８５の上面には、照明部８９が設けられている。照明部８９は半透明の樹脂で構成されており、本体パネル７の内側に備えられた光源から発せされる照明光を透過させ、これにより、照明部８９が明るくなる。
【００５３】
照明部８９は、上壁部８５の上面であって、切欠き部８７に隣接した位置に設けられている。より詳細には、照明部８９は、切欠き部８７の後側であって、切欠き部８７の縁部から隙間をあけた位置に設けられており、かつ、ディスク挿入口１３の下に位置している。このような配置により、照明部８９は、回動操作部位８１の位置を案内すると共に、ディスク挿入口１３の位置をも案内する。
【００５４】
そのほか、パネル装着凹部１５の上部の両端付近には、緩衝部材９１が取り付けられている。緩衝部材９１は例えばゴムである。緩衝部材９１も、より一層デタッチャブルパネル９のガタつきを防止することに寄与することができる。
【００５５】
以上に、本発明の実施の形態に係る車載電子機器１の構成について説明した。次に、車載電子機器１の動作を説明する。ここでは、デタッチャブルパネル９を本体パネル７に取り付けるときの動作と、デタッチャブルパネル９を本体パネル７から取り外すときの動作とを順次説明する。
【００５６】
取付けの際は、デタッチャブルパネル９を前側に傾けた姿勢で本体パネル７のパネル装着凹部１５に向けて挿入する。これにより、本体パネル７のパネル装着凹部１５の両端下部に設けられたヒンジ軸４５が、デタッチャブルパネル９の両端下部のヒンジ軸受４７の切欠き部４９を通り抜け、そして、ヒンジ軸受４７に嵌る。このようにして、デタッチャブルパネル９はパネル装着凹部１５内で図２の傾斜姿勢になる。ヒンジ軸４５とヒンジ軸受４７が連結するとほぼ同時に、デタッチャブルパネル９の上端が後ろへ移動され、デタッチャブルパネル９が傾斜姿勢から装着姿勢へ向けてヒンジ軸４５を中心として回動される。デタッチャブルパネル９が装着姿勢の位置へ達すると、係合部４５の１対のフック６１が、係合突起５１を挟み込む。この際、１対のフック６１は、係合部４５によって横方向に押されて、弾性的に撓み変形する。右側のフック６１においては、フック側爪部６９が係合突起５１の突起側爪部５３を乗り越える。ただし、前述したように、フック側爪部６９は、突起側爪部５３を乗り越えるものの、突起側爪部５３から離れることはなく、突起側爪部５３と接触したままの位置で止まる。
【００５７】
上記のようにして、係合部４３がデタッチャブルパネル９と本体パネル７とを係合させ、デタッチャブルパネル９を装着姿勢に保持する。この状態では、既に詳細に説明したように、１対のフック６１の挟み込みによって、デタッチャブルパネル９の横方向の動きが規制される。また、フック６１と係合突起５１に傾斜部が設けられているので、フック６１の弾性変形に伴い、係合突起５１からフック６１に対して、下向きの力（すなわち支持方向と逆向きの力）が働き、この力によって、デタッチャブルパネル９の上下方向の動きも規制される。さらには、装着状態において、フック側爪部６９が突起側爪部５３を乗り越えた位置にて突起側爪部５３と接触しており、これにより、デタッチャブルパネル９の前後方向の動きも規制される。このようにして、本実施の形態によれば、デタッチャブルパネル９のガタつきが抑えられる。
【００５８】
以上にデタッチャブルパネル９を装着するときの動作を説明した。上記の動作では、デタッチャブルパネル９をパネル装着凹部１５に挿入し、回動することによって、デタッチャブルパネル９が本体パネル７に取り付けられる。このように、一連の動作で簡単にデタッチャブルパネル９を取り付けることができる。
【００５９】
次に、デタッチャブルパネル９を取り外す動作を説明する。この場合、装着姿勢のデタッチャブルパネル９の上部が前方に動かされる。これにより、係合部４３では、フック６１が弾性変形しながら前方に移動し、係合突起５１から外れ、係合状態が解除される。そして、デタッチャブルパネル９がヒンジ軸４５を中心として回動し、前側に傾いて、傾斜姿勢になる。デタッチャブルパネル９をさらに前方に動かすと、両側のヒンジ軸受４７の切欠き部４９をヒンジ軸４５が通り、ヒンジ結合が解除され、デタッチャブルパネル９がパネル装着凹部１５から引き抜かれる。こうして、デタッチャブルパネル９が本体パネル７から取り外される。
【００６０】
上記の取外し動作では、デタッチャブルパネル９の上部を前方に移動させることで、デタッチャブルパネル９が回動し、本体パネル７から取り外される。このようにして、デタッチャブルパネル９の取外しも、一連の動作で簡単に行うことができる。
【００６１】
なお、上記の取付けおよび取外しの際、ユーザは、デタッチャブルパネル９の中央部をつまむことが好適である。典型的には親指と人差し指が使われ、親指は上面の回動操作部位８１に載せられ、人差し指でパネル下部が支えられる。このような持ち方にて上記の如くデタッチャブルパネル９を簡単な操作で本体パネル７に脱着できる。しかも、本体パネル７に切欠部８７が設けられているので、ユーザの指と本体パネル７との干渉も避けられ、脱着過程で指の位置を変えることが不要であり（すなわち持替え作業が不要であり）、このことによっても操作が容易になる。
【００６２】
以上にデタッチャブルパネル９の脱着動作について説明した。次に、本実施の形態の変形例について説明する。本実施の形態では、車載電子機器１がカーオーディオであったが、本発明はこれに限定されない。車載電子機器１はその他の種類の機器でもよい。例えば、車載電子機器１はナビゲーション装置でもよい。
【００６３】
また、本実施の形態では、係合部４３において、係合突起５１が本体パネル７に設けられ、１対のフック６１がデタッチャネルパネル９に設けられている。これとは逆に、係合突起５１がデタッチャネルパネル９に設けられ、１対のフック６１が本体パネル７に設けられてもよい。この場合、フック側傾斜部７１および突起側傾斜部５５の傾斜方向は上記の実施の形態と逆にすることが好適である。すなわち、両側の傾斜部の距離が、上方に行くほど狭く設定される。これにより、上述の実施の形態と同様に、フック６１の弾性力によって、デタッチャブルパネル９に下向きの力が作用し、デタッチャブルパネル９の上下方向の動きが好適に規制される。
【００６４】
以上に本発明の実施の形態に係る車載電子装置１について説明した。本実施の形態によれば、デタッチャブルパネル９を本体パネル７に係合させる係合部４３が、係合突起５１と１対のフック６１により構成される。１対のフック６１が係合突起５１を挟み込んだ状態では、フック６１の弾性変形によってフック側傾斜部７１が突起側傾斜部５５を押圧する。傾斜部に対する押圧により、デタッチャブルパネル９が支持部４１へ向けて付勢される。これにより、挟込み方向だけでなく、支持方向にも、デタッチャブルパネル９のガタつきを抑制することができる。さらには、上記の係合構造では、係合解除のためのボタン等の押圧部材も不要であり、したがって、パネル取外し操作の手間も少なくてすむ。このようにして、フック６１の弾性と、フック６１および係合突起５１の傾斜部とを利用した構成を設けたことで、簡単な係合構造によってデタッチャブルパネル９の耐震性を得ることができ、取外し操作も容易な車載電子機器１を提供することができる。
【００６５】
また、本実施の形態では、支持部４１の回動軸を中心にデタッチャブルパネル９を回動させるための回動操作部位８１が、デタッチャブルパネル９の上面であって係合部４３の上側に設けられており、本体パネル９はパネル装着凹部１５の上壁部８５に回動操作部位８１を露出させる切欠部８７を有している。これにより、回動操作部位８１に載せたユーザの指と本体パネル７とが干渉することもなく、回動操作部位８１を利用してデタッチャブルパネルを回動させることができ、取外し操作が簡単になる。しかも、回動操作部位８１をデタッチャブルパネル９の上面に設けると共に、本体パネル７の切欠き部８７によって回動操作部位８１を露出させたので、コンパクトな構造でもって回動操作を可能にできる。
【００６６】
また、本実施の形態では、本体パネル７が、パネル装着凹部１５の上壁部８５の上面であって切欠部８７に隣接した位置に、回動操作部位８１の位置を案内する照明８９部を有している。これにより、回動操作部位８１の視認が容易になり、デタッチャブルパネル９の取外し操作がさらに容易になる。
【００６７】
また、本実施の形態では、本体パネルが上壁部８５の上側に横長のディスク挿入口１３を有し、照明部８９は、切欠部８７に隣接した位置であってディスク挿入口１３の下に配置されており、回動操作部位８１の位置とディスク挿入口１３の位置との両方を案内する。この構成により、一つの照明部８９でもってデタッチャブルパネル９の回動操作部位８１だけでなくディスク挿入口１３の位置も案内でき、車載電子機器１を小型化できる。
【００６８】
また、本実施の形態では、デタッチャブルパネル９が所定の装着状態に保持されている状態において、フック側爪部６９が突起側爪部５３を乗り越えた位置にて突起側爪部５３に接触している。この構成により、フック側爪部と突起側爪部との接触部に作用する力を利用して、デタッチャブルパネルの前後方向のガタつきも抑制でき、耐震性を向上できる。
【００６９】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７０】
以上のように、本発明にかかる車載電子装置は、簡単な係合構造によってデタッチャブルパネルの耐震性を得ることができ、取外し操作も容易にできるという効果を有し、カーオーディオ等として有用である。
【図面の簡単な説明】
【００７１】
【図１】本発明の実施の形態における車載電子装置の斜視図
【図２】デタッチャブルパネルを脱着する途中の状態における車載電子装置の斜視図
【図３】デタッチャブルパネルを取り外した状態における車載電子装置の斜視図
【図４】本発明の実施の形態における車載電子装置の正面図
【図５】デタッチャブルパネルを取り外した状態における車載電子装置の正面図
【図６】デタッチャブルパネルの分解斜視図
【図７】（ａ）デタッチャブルパネルの背面図  （ｂ）デタッチャブルパネルの平面図  （ｃ）デタッチャブルパネルの正面図  （ｄ）デタッチャブルパネルの底面図  （ｅ）デタッチャブルパネルの左側面図  （ｆ）デタッチャブルパネルの右側面図
【図８】傾斜姿勢のデタッチャブルパネルをヒンジ軸と共に示す図
【図９】（ａ）係合突起の斜視図  （ｂ）係合突起の正面図
【図１０】デタッチャブルパネルを背面から見たフック部分の拡大図
【図１１】車載電子装置の横断面図
【図１２】車載電子装置の横断面における係合部の拡大図
【図１３】係合部の縦断面図
【図１４】パネル装着凹部の上壁部の上面に設けられた照明部を示す斜視図
【符号の説明】
【００７２】
１  車載電子機器
３  シャーシ
５  前面パネル
７  本体パネル
９  デタッチャブルパネル
１３  ディスク挿入口
１５  パネル装着凹部
３１  操作ボタン
４１  支持部
４３  係合部
４５  ヒンジ軸
４７  ヒンジ軸受
５１  係合突起
５３  突起側爪部
５５  突起側傾斜部
６１  フック
６３  クランパ
６５  ベース板
６９  フック側爪部
７１  フック側傾斜部
８１  回動操作部位
８５  上壁部
８７  切欠部
８９  照明部
【図１】
2008230461.tif 000003
【図２】
2008230461.tif 000004
【図３】
2008230461.tif 000005
【図４】
2008230461.tif 000006
【図５】
2008230461.tif 000007
【図６】
2008230461.tif 000008
【図７】
2008230461.tif 000009
【図８】
2008230461.tif 000010
【図９】
2008230461.tif 000011
【図１０】
2008230461.tif 000012
【図１１】
2008230461.tif 000013
【図１２】
2008230461.tif 000014
【図１３】
2008230461.tif 000015
【図１４】
2008230461.tif 000016